(57)【要約】      （修正有）【課題】吊り下げ力を制御でき、過荷重から保護できる負荷溶断特性を有する管路剛性吊り下げ装置を提供する。【解決手段】ヒューズケース６、ヒューズタイロッド１５、パイプクランプタイロッド９及びパイプクランプフープ８を含み、ヒューズケース内には、下から上にかけて順に第１プレッシャプレート１１、一次溶断体１２、第２プレッシャプレート１３及び二次溶断体１４が設けられ、ヒューズタイロッドの一端は、左右タイロッド３に接続され、他端は、ヒューズケースの上端面、二次溶断体、第２プレッシャプレート及び一次溶断体を順に貫通して第１プレッシャプレートに接続され、パイプクランプタイロッドの一端は、ヒューズケースの下端面に固定され、他端は、パイプクランプフープに接続される。【選択図】図１
0003230531.tif 000002
【実用新案登録請求の範囲】
【請求項１】
負荷溶断特性を有する管路剛性吊り下げ装置であって、
ヒューズケース（６）、ヒューズタイロッド（１５）、パイプクランプタイロッド（９）及びパイプクランプフープ（８）を含み、
ヒューズケース（６）内には、下から上にかけて順に第１プレッシャプレート（１１）、一次溶断体（１２）、第２プレッシャプレート（１３）及び二次溶断体（１４）が設けられ、ヒューズタイロッド（１５）の一端は、左右タイロッド（３）に接続され、ヒューズタイロッド（１５）の他端は、ヒューズケース（６）の上端面、二次溶断体（１４）、第２プレッシャプレート（１３）及び一次溶断体（１２）を順に貫通して第１プレッシャプレート（１１）に接続され、パイプクランプタイロッド（９）の一端は、ヒューズケース（６）の下端面に固定され、パイプクランプタイロッド（９）の他端は、パイプクランプフープ（８）に接続されていることを特徴とする負荷溶断特性を有する管路剛性吊り下げ装置。
【請求項２】
両ラグ吊り板（１）、第１アイナット（２１）及び第１ピン軸（１０）をさらに含み、第１アイナット（２１）の一端は、左右タイロッド（３）の端部に接続され、両ラグ吊り板（１）は、第１ピン軸（１０１）により第１アイナット（２１）の他端に接続されていることを特徴とする請求項１に記載の負荷溶断特性を有する管路剛性吊り下げ装置。
【請求項３】
ヒューズタイロッド（１５）は、タンバックル（１６）により左右タイロッド（３）に接続されていることを特徴とする請求項１に記載の負荷溶断特性を有する管路剛性吊り下げ装置。
【請求項４】
パイプクランプタイロッド（９）の端部は、第２アイナット（２２）及び第１パイプクランプボルト（７１）により、パイプクランプフープ（８）の一方側に接続され、パイプクランプフープ（８）の他方側には、第２パイプクランプボルト（７２）が設けられていることを特徴とする請求項１に記載の負荷溶断特性を有する管路剛性吊り下げ装置。
【請求項５】
ヒューズケース（６）の底部は、第２ピン軸（１０２）及び第３アイナット（２３）が設けられるにより、パイプクランプタイロッド（９）に接続されていることを特徴とする請求項２に記載の負荷溶断特性を有する管路剛性吊り下げ装置。
【請求項６】
ヒューズケース（６）の頂部は、開口し、且つヒューズケース（６）の頂部の開口において連結ボルト（４）により、ヒューズカバー（５）が固定されていることを特徴とする請求項１に記載の負荷溶断特性を有する管路剛性吊り下げ装置。
【請求項７】
ヒューズケース（６）の側面には、矩形貫通溝が開設され、第１プレッシャプレート（１１）及び第２プレッシャプレート（１３）には、いずれもプレッシャプレートポインタ（１７）が設けられ、前記プレッシャプレートポインタ（１７）は、前記矩形貫通溝を貫通し、ヒューズケース（６）の外壁には、前記プレッシャプレートポインタ（１７）と協働する目盛りが設けられていることを特徴とする請求項１に記載の負荷溶断特性を有する管路剛性吊り下げ装置。
【請求項８】
ヒューズケース（６）の内壁には、ガイド溝が設けられ、第１プレッシャプレート（１１）の外周面及び第２プレッシャプレート（１３）の外周面には、いずれもボスが設けられ、前記ボスは、ガイド溝内に内嵌されていることを特徴とする請求項１に記載の負荷溶断特性を有する管路剛性吊り下げ装置。
【考案の詳細な説明】
【技術分野】
【０００１】
本考案は、管路剛性吊り下げ装置に関し、具体的に、負荷溶断特性を有する管路剛性吊り下げ装置に関する。
【背景技術】
【０００２】
管路は、２つ又は複数の装置間に接続されて媒体を輸送する輸送システムであり、火力発電所、原子力発電所、石油化学工業等のエネルギー業界分野において広く用いられている。動作中に、機械的荷重、変位荷重、熱荷重の作用を克服するために、管路における適切な位置に吊り下げ装置を配置して管路の安全作動を確保する。管路吊り下げ装置は、その機能に応じて積載装置及び位置制限装置に分類することができる。このうち、剛性吊り下げ装置は、積載及び位置制限の二重の役割を重ねており、その重要性は明らかである。
【考案の概要】
【考案が解決しようとする課題】
【０００３】
従来、剛性吊り下げ装置の取付、使用には、主に以下の２つの問題が存在し、１つ目は、剛性吊り下げ装置を取り付けるとき、吊り下げレバー上の吊り下げ力を正確に制御することができず、即ち、吊り下げ力が設計取付荷重と一致することを正確に保証することができないことである。２つ目は、管路吊支システムに荷重移転現象が存在するとき、剛性吊り下げ装置の応答剛性が無限大であるため、該吊り点において大きな荷重変動が発生することである。吊り下げレバー上の力が吊り下げ装置の構造荷重よりも大きい場合、構造部材が破損したり、吊り下げハンガーの荷崩れ現象が発生したりする恐れがある。また、吊り点において荷重変動が大きく、又は吊り点に荷重が大きすぎる場合、吊り点において管路応力は、管路材の許容応力を超え、管路の亀裂、変形などの現象が発生する恐れがある。
【０００４】
従って、より合理的、効果的な管路剛性吊り下げ装置を設計することが必要であり、管路剛性吊り下げ装置は、吊り下げ力が制御可能であり、受力状態の異常通知、過荷重保護（溶断）という機能を具備することが必要である。
【課題を解決するための手段】
【０００５】
本考案は、上述した従来技術の欠陥を解消し、負荷溶断特性を有する管路剛性吊り下げ装置を提供することを目的とし、該装置は、吊り下げ力が制御可能であり、過荷重から保護する特徴を有する。
【０００６】
上記目的に達成するために、本考案に係る負荷溶断特性を有する管路剛性吊り下げ装置は、ヒューズケース、ヒューズタイロッド、パイプクランプタイロッド及びパイプクランプフープを含み、
ヒューズケース内には、下から上にかけて順に第１プレッシャプレート、一次溶断体、第２プレッシャプレート及び二次溶断体が設けられ、ヒューズタイロッドの一端は、左右タイロッドに接続され、ヒューズタイロッドの他端は、ヒューズケースの上端面、二次溶断体、第２プレッシャプレート及び一次溶断体を順に貫通して第１プレッシャプレートに接続され、パイプクランプタイロッドの一端は、ヒューズケースの下端面に固定され、パイプクランプタイロッドの他端は、パイプクランプフープに接続されている。
【０００７】
両ラグ吊り板、第１アイナット及び第１ピン軸をさらに含み、第１アイナットの一端は、左右タイロッドの端部に接続され、両ラグ吊り板は、第１ピン軸により第１アイナットの他端に接続されている。
【０００８】
ヒューズタイロッドは、タンバックルにより左右タイロッドに接続されている。
【０００９】
パイプクランプタイロッドの端部は、第２アイナット及び第１パイプクランプボルトにより、パイプクランプフープの一方側に接続され、パイプクランプフープの他方側には、第２パイプクランプボルトが設けられている。
【００１０】
ヒューズケースの底部は、第２ピン軸及び第３アイナットが設けられることにより、パイプクランプタイロッドに接続されている。
【００１１】
ヒューズケースの頂部は、開口し、且つヒューズケースの頂部の開口において連結ボルトにより、ヒューズカバーが固定されている。
【００１２】
ヒューズケースの側面には、矩形貫通溝が開設され、第１プレッシャプレート及び第２プレッシャプレートには、いずれもプレッシャプレートポインタが設けられ、前記プレッシャプレートポインタは、前記矩形貫通溝を貫通し、ヒューズケースの外壁には、前記プレッシャプレートポインタと協働する目盛りが設けられている。
【００１３】
ヒューズケースの内壁には、ガイド溝が設けられ、第１プレッシャプレートの外周面及び第２プレッシャプレートの外周面には、いずれもボスが設けられ、前記ボスは、ガイド溝内に内嵌されている。
【考案の効果】
【００１４】
本考案は、以下の有益な効果を有する。
本考案に係る負荷溶断特性を有する管路剛性吊り下げ装置は、具体的に、操作時に、タンバックルを締め付けることにより、第１プレッシャプレートが上へ一次溶断体を圧縮し、一次溶断体が、圧縮過程において定力特性を保ち、その圧縮ステージ力が剛性吊り下げ装置の設計取付荷重力と等しく、一次溶断体が密実状態に圧縮されると、実際の吊り下げ力が、設計取付荷重と等しくなり、吊り下げ力が制御可能になることを確保することができる。また、管路吊支システムに荷重移転現象が存在する場合、実際の吊り下げ力が吊り点における設計構造荷重力に近くなるまで上昇すると、ヒューズタイロッドの作用により、第１プレッシャプレート、密実になった一次溶断体、第２プレッシャプレートは、ともに上へ二次溶断体を圧縮し、二次溶断体は、圧縮過程で定力特性を保ち、過荷重保護を実現し、吊り点における荷重変動及び吊り点における管路応力を効果的に低減させる。
【図面の簡単な説明】
【００１５】
【図１】本考案の構成模式図である。
【図２】本考案の分解図である。
【図３】本考案に係るヒューズケース６の内部の模式図である。
【考案を実施するための形態】
【００１６】
以下、図面を参照しつつ本考案をさらに詳しく説明する。
図１乃至図３を参照すると、本考案に係る負荷溶断特性を有する管路剛性吊り下げ装置は、ヒューズケース６、ヒューズタイロッド１５、パイプクランプタイロッド９及びパイプクランプフープ８を含む。ヒューズケース６内には、下から上にかけて順に第１プレッシャプレート１１、一次溶断体１２、第２プレッシャプレート１３及び二次溶断体１４が設けられる。ヒューズタイロッド１５の一端は、左右タイロッド３に接続され、ヒューズタイロッド１５の他端は、ヒューズケース６の上端面、二次溶断体１４、第２プレッシャプレート１３及び一次溶断体１２を順に貫通して第１プレッシャプレート１１に接続され、パイプクランプタイロッド９の一端は、ヒューズケース６の下端面に固定され、パイプクランプタイロッド９の他端は、パイプクランプフープ８に接続されている。
【００１７】
本考案は、両ラグ吊り板１、第１アイナット２１及び第１ピン軸１０をさらに含む。第１アイナット２１の一端は、左右タイロッド３の端部に接続され、両ラグ吊り板１は、第１ピン軸１０１により第１アイナット２１の他端に接続され、パイプクランプタイロッド９の端部は、第２アイナット２２及び第１パイプクランプボルト７１により、パイプクランプフープ８の一方側に接続され、パイプクランプフープ８の他方側には、第２パイプクランプボルト７２が設けられている。
【００１８】
ヒューズタイロッド１５は、タンバックル１６により左右タイロッド３に接続され、ヒューズケース６の底部は、第２ピン軸１０２及び第３アイナット２３が設けられることにより、パイプクランプタイロッド９に接続されている。
【００１９】
ヒューズケース６の頂部は、開口し、且つヒューズケース６の頂部の開口において連結ボルト４により、ヒューズカバー５が固定されている。ヒューズケース６の側面には、矩形貫通溝が開設され、第１プレッシャプレート１１及び第２プレッシャプレート１３には、いずれもプレッシャプレートポインタ１７が設けられ、前記プレッシャプレートポインタ１７は、前記矩形貫通溝を貫通し、ヒューズケース６の外壁には、前記プレッシャプレートポインタ１７と協働する目盛りが設けられている。
【００２０】
ヒューズケース６の内壁には、ガイド溝が設けられ、第１プレッシャプレート１１の外周面及び第２プレッシャプレート１３の外周面には、いずれもボスが設けられ、前記ボスは、ガイド溝内に内嵌され、ガイド溝の数は、３つであり、且つ３つのガイド溝は、周方向に沿って順に分布する。
【００２１】
本考案の原理は、以下の通りである。
設計取付荷重Ｆａｚ、設計構造荷重Ｆｊｇから一次溶断体１２の潰れステージ力Ｆ１及び二次溶断体の潰れステージ力Ｆ２を設計し、それらにＦａｚ＝Ｆ１＜Ｆ２＜Ｆｊｇという関係を満足させる。実際に取り付ける時に、両ラグ吊り板１は、現場の剛性構造部材に接続され、パイプクランプフープ８は、管路に接続され、タンバックル１６を締め付けることで、第１プレッシャプレート１１が上へ一次溶断体１２及び二次溶断体１４を圧縮し、二次溶断体１４の潰れステージ力が一次溶断体１２の潰れステージ力よりも大きいため、この段階で、一次溶断体１２が絶えず圧縮されて密実状態になるまで塑性変形し、二次溶断体１４は、変形しない。一次溶断体１２は、金属ハニカム材料を選択して採用し、該材料は、面外圧縮状態で定力特性を保つことができるため、一次溶断体１２が変形してから密実に圧縮される過程で、管路に作用する吊り下げ力は、常に設計取付荷重力に保つことができる。管路吊支システムに荷重移転現象が存在して剛性吊り点に荷重が大きくなり、且つＦ２に達したとき、ヒューズタイロッド１５は、第１プレッシャプレート１１、密実になった一次溶断体１２、第２プレッシャプレート１３を一緒に駆動して上へ二次溶断体１４を圧縮する。二次溶断体１４は、金属ハニカム材料を選択して採用し、該材料は、面外圧縮状態で定力特性を保つことができるため、二次溶断体１４が圧縮される過程で、管路に作用する吊り下げ力は、常にＦ２に保つことができ、吊り点における荷重変動を効果的に低減させ、吊り点における管路応力を低減させ、なお、第２プレッシャプレート１３上のプレッシャプレートポインタ１７の位置を観察することで、吊り点に荷重が異常であるかどうかを判断することができる。
【００２２】
上述したのは、本考案の好ましい具体的な実施形態であるが、本考案の保護範囲はこれに限定されるものではなく、当業者であれば、本考案の技術的範囲内で、容易に想定される変更又は置き換えは本考案の技術的範囲に含まれる。したがって本考案の保護範囲は実用新案登録請求の範囲を基準とする。
【符号の説明】
【００２３】
１  両ラグ吊り板
２１  第１アイナット
２２  第２アイナット
２３  第３アイナット
３  左右タイロッド
４  連結ボルト
５  ヒューズカバー
６  ヒューズケース
７１  第１パイプクランプボルト
７２  第２パイプクランプボルト
８  パイプクランプフープ
９  パイプクランプタイロッド
１０１  第１ピン軸
１０２  第２ピン軸
１１  第１プレッシャプレート
１２  一次溶断体
１３  第２プレッシャプレート
１４  二次溶断体
１５  ヒューズタイロッド
１６  タンバックル
１７  プレッシャプレートポインタ
【図１】
0003230531.tif 000003
【図２】
0003230531.tif 000004
【図３】
0003230531.tif 000005